(57)【要約】      （修正有）【課題】揮発性成分が有する所望の薬効を発揮させやすくすることができるフェイスマスクを提供することにある。【解決手段】フェイスマスク１は、フェイスマスク本体１１と、カプセル１２とを備える。カプセル１２は、フェイスマスク本体１１に設けられている。カプセル１２は、揮発性成分を含むコア部と、前記コア部を被覆するシェル部とを有する。【選択図】図１
2020092818.tif 000002
【特許請求の範囲】
【請求項１】
フェイスマスク本体と、
前記フェイスマスク本体に設けられたカプセルとを備え、
前記カプセルは、
揮発性成分を含むコア部と、
前記コア部を被覆するシェル部とを有する、フェイスマスク。
【請求項２】
前記フェイスマスク本体は、
主部と、
鼻マスクとを含み、
前記主部は、ユーザーの鼻部に対応する開口部を有し、
前記鼻マスクは、
前記主部に連結される連結部と、
前記主部の一部であって前記開口部の外縁のうちの少なくとも一部と重複する重複部とを有し、
前記鼻マスクは、前記主部において連結部である一端が固定された状態でその他端が可動である、請求項１に記載のフェイスマスク。
【請求項３】
前記カプセルを保護する保護材を備える、請求項１又は請求項２に記載のフェイスマスク。
【請求項４】
前記保護材は、シート状であり、
前記保護材は、一方の面にシール層を有する、請求項３に記載のフェイスマスク。
【請求項５】
前記フェイスマスク本体は、不織布又は紙を含む、請求項１から請求項４のいずれか１項に記載のフェイスマスク。
【請求項６】
前記カプセルは、ユーザーの鼻部、口部及び目部の少なくとも１つに対応する位置近傍に配置されている、請求項１から請求項５のいずれか１項に記載のフェイスマスク。
【請求項７】
前記保護材は、前記フェイスマスク本体に、熱融着又は縫合によって取り付けられている、請求項３から請求項６のいずれか１項に記載のフェイスマスク。
【請求項８】
前記揮発性成分は、精油を含む、請求項１から請求項７のいずれか１項に記載のフェイスマスク。
【請求項９】
前記シェル部は、ゼラチンを含む、請求項１から請求項８のいずれか１項に記載のフェイスマスク。
【請求項１０】
包装袋と、
請求項１から請求項９のいずれか１項に記載のフェイスマスクと、
液剤とを備え、
前記包装袋は、前記フェイスマスクと前記液剤とを分離して収納するように構成されている、フェイスマスク包装体。
【請求項１１】
前記包装袋は、前記包装袋の内部を第１収納室と第２収納室とを分離する分離部を有し、
前記第１収納室には、前記フェイスマスクが収納され、
前記第２収納室には、前記液剤が収納され、
前記分離部は、所定値を超える押圧力が作用すると、前記第１収納室と、前記第２収納室とを連通させるように構成されている、請求項１０に記載のフェイスマスク包装体。
【発明の詳細な説明】
【技術分野】
【０００１】
本発明は、フェイスマスク、及びフェイスマスク包装体に関する。
【背景技術】
【０００２】
従来から、フェイスマスクは、美容に用いられている。フェイスマスクは、例えば、化粧水又は乳液等の液剤を含侵した状態で顔面に載置され、顔面に液剤を浸透させる。特許文献１には、乾式パックと液剤とを別々に包装しておき、使用時に乾式パックに液剤を含侵させることで、防腐剤に頼らずに品質を維持できる乾性パックセットが開示されている。具体的に、特許文献１に開示の乾性パックセットは、乾性パックと、液剤と、圧迫割れ袋と、収容袋とを備える。収容袋は、乾性パック及び圧迫割れ袋を収納する。液剤は、精油を含む。圧迫割れ袋は、液剤を密封するとともに、外力を受けると液剤の密閉状態を開放し、液剤を乾性パックに含侵させる。
【先行技術文献】
【特許文献】
【０００３】
【特許文献１】特開２０１３−７９２２６号公報
【発明の概要】
【発明が解決しようとする課題】
【０００４】
特許文献１に開示の乾性パックセットでは、液剤が精油を含有する。しかしながら、精油を含有する液剤では、精油は、液剤中の精油を除いた成分の影響を受けやすい。そのため、液剤中の精油の成分の一部は、液剤中に残留し、揮発しないおそれがある。その結果、精油を含有する液剤は、精油自体が有する所望の薬効を発揮させることができないおそれがある。
【０００５】
本発明は、上記課題を鑑みてなされたものであり、揮発性成分が有する所望の薬効を発揮させやすくすることができるフェイスマスク、及びフェイスマスク包装体を提供することにある。
【課題を解決するための手段】
【０００６】
本発明に係るフェイスマスクは、フェイスマスク本体と、カプセルとを備える。前記カプセルは、前記フェイスマスク本体に設けられている。前記カプセルは、コア部と、シェル部とを有する。前記コア部は、揮発性成分を含む。前記シェル部は、前記コア部を被覆する。
【０００７】
ある実施形態において、前記フェイスマスク本体は、主部と、鼻マスクとを含む。前記主部は、ユーザーの鼻部に対応する開口部を有する。前記鼻マスクは、連結部と、重複部とを有する。前記連結部は、前記主部に連結される。前記重複部は、前記主部の一部であって前記開口部の外縁のうちの少なくとも一部と重複する部分である。前記鼻マスクは、前記主部において連結部である一端が固定された状態でその他端が可動である。
【０００８】
ある実施形態において、保護材を備える。前記保護材は、前記カプセルを保護する。
【０００９】
ある実施形態において、前記保護材は、シート状である。前記保護材は、一方の面にシール層を有する。
【００１０】
ある実施形態において、前記フェイスマスク本体は、不織布又は紙を含む。
【００１１】
ある実施形態において、前記カプセルは、ユーザーの鼻部、口部及び目部の少なくとも１つに対応する位置近傍に配置されている。
【００１２】
ある実施形態において、前記保護材は、前記フェイスマスク本体に、熱融着又は縫合によって取り付けられている。
【００１３】
ある実施形態において、前記揮発性成分は、精油を含む。
【００１４】
ある実施形態において、前記シェル部は、ゼラチンを含む。
【００１５】
本発明に係るフェイスマスク包装体は、包装袋と、前記フェイスマスクと、液剤とを備える。前記包装袋は、前記フェイスマスクと前記液剤とを分離して収納するように構成されている。
【００１６】
ある実施形態において、前記包装袋は、分離部を有する。前記分離部は、前記包装袋の内部を第１収納室と第２収納室とを分離する。前記第１収納室には、前記フェイスマスクが収納されている。前記第２収納室には、前記液剤が収納されている。前記分離部は、所定値を超える押圧力が作用すると、前記第１収納室と、前記第２収納室とを連通させるように構成されている。
【発明の効果】
【００１７】
本発明に係るフェイスマスク、及びフェイスマスク包装体によれば、揮発性成分が有する所望の薬効を発揮させやすくすることができる。
【図面の簡単な説明】
【００１８】
【図１】図１（ａ）は、本発明の実施形態１に係るフェイスマスクの未使用状態を示す斜視図である。図１（ｂ）は、本発明の実施形態１に係るフェイスマスクの未使用状態を示す正面図である。
【図２】図２は、本発明の実施形態１に係るフェイスマスクのうち、図１（ｂ）の切断線ＩＩで切断した概略部分断面図である。
【図３】図３（ａ）は、本発明の実施形態１に係るフェイスマスクの使用状態を示す斜視図である。図３（ｂ）は、本発明の実施形態１に係るフェイスマスクのうち、図３（ａ）に示す切断線ＩＩＩＢで切断した概略部分断面図である。
【図４】図４（ａ）は、本発明の実施形態１に係るフェイスマスク包装体の概略正面図である。図４（ｂ）は、本発明の実施形態１に係るフェイスマスク包装体のうち、図４（ａ）に示す切断線ＩＶＢで切断した概略断面図である。
【図５】図５（ａ）は、本発明の実施形態２に係るフェイスマスクの未使用状態を示す正面図である。図５（ｂ）は、本発明の実施形態３に係るフェイスマスクの未使用状態を示す正面図である。
【図６】図６（ａ）は、本発明の実施形態４に係るフェイスマスクの未使用状態を示す正面図である。図６（ｂ）は、本発明の実施形態４に係るフェイスマスクのうち、図６（ａ）に示す切断線ＶＩＢで切断した概略部分断面図である。
【図７】図７（ａ）は、本発明の実施形態５に係るフェイスマスクの未使用状態を示す正面図である。図７（ｂ）は、本発明の実施形態６に係るフェイスマスクの未使用状態を示す正面図である。
【図８】図８（ａ）は、本発明の実施形態７に係るフェイスマスクの未使用状態を示す正面図である。図８（ｂ）は、本発明の実施形態８に係るフェイスマスクの未使用状態を示す正面図である。
【図９】図９は、本発明の実施形態９に係るフェイスマスク包装体の概略図である。
【発明を実施するための形態】
【００１９】
以下、本発明の実施形態について、図面を参照しながら説明する。ただし、本発明は以下の実施形態に限定されない。また、図中、同一又は相当部分については同一の参照符号を付して説明を繰り返さない。
【００２０】
［実施形態１：フェイスマスク１］
図１（ａ）、図１（ｂ）及び図２を参照して、実施形態１に係るフェイスマスク１について説明する。図１（ａ）は、実施形態１に係るフェイスマスク１の未使用状態を示す斜視図である。図１（ｂ）は、実施形態１に係るフェイスマスク１の未使用状態を示す正面図である。
【００２１】
フェイスマスク１は、例えば、液剤２２を含侵した状態でユーザーの顔面に載置され、ユーザーの顔面に液剤２２を浸透させるために利用される乾式のパックである。
【００２２】
図１（ａ）及び図１（ｂ）に示すように、フェイスマスク１は、第１フェイスマスク本体１１と、カプセル１２と、第１保護材１３とを備える。図１（ａ）に示すように、カプセル１２は、第１フェイスマスク本体１１に設けられている。第１保護材１３は、カプセル１２を覆うようにして、第１フェイスマスク本体１１に取り付けられている。
【００２３】
次に、第１フェイスマスク本体１１について説明する。図１（ａ）に示すように、第１フェイスマスク本体１１は、主部１１１と、鼻マスク１１２とを含む。鼻マスク１１２は、主部１１１に連結されている。
【００２４】
第１フェイスマスク本体１１は、例えば、不織布、又は紙を含む。つまり、主部１１１、及び鼻マスク１１２は、例えば、不織布、又は紙を含む。不織布は、例えば、化学繊維、又は自然繊維を含む。化学繊維は、例えば、ポリエチレン、ポリエステル、ポリウレタン、又は塩化ビニルを含む。自然繊維は、例えば、綿、又は毛を含む。第１フェイスマスク本体１１は、例えば、不織布、又は紙を含むことにより、多数の微細な孔をもつ多孔質構造を有する。これにより、主部１１１は、多孔質構造を有しない場合に比べて、液剤２２を吸収し、保持しやすい。主部１１１の材質と、鼻マスク１１２の材質とは、異なっていてもよい。
【００２５】
主部１１１は、ユーザーの顔面の全体を覆うことができるように形成されたシート状物である。図１（ａ）に示すように、主部１１１は、ユーザーの鼻部に対応する第１開口部１１１Ａと、ユーザーの目を露出させる第２開口部１１１Ｂと、ユーザーの口を露出させるための第３開口部１１１Ｃとを有する。主部１１１は、ユーザーの顔に合うように、スリットを有していてもよい。
【００２６】
主部１１１は、コストを低減させる観点から、１枚のシート材によって形成されてもよい。また、主部１１１は、多くのユーザーの顔面の形状に適用できるように、上下又は左右に配置される複数枚のシート材を合わせることによって形成されてもよい。また、主部１１１は、ユーザーの注意を惹き付けるために印刷された装飾部を有していてもよい。
【００２７】
次に、鼻マスク１１２について説明する。鼻マスク１１２は、ユーザーの鼻部を覆うことができるように形成されたシート状物である。第１フェイスマスク本体１１は鼻マスク１１２を備えるので、第１開口部１１１Ａから突出した鼻部を覆うとともに、鼻部と頬部との間に対応する隙間を少なくすることができる。
【００２８】
図１（ａ）に示すように、鼻マスク１１２は、主部１１１に取り付けられた連結部１１２Ａを一端に有する。鼻マスク１１２は、連結部１１２Ａによって、主部１１１に連結されている。つまり、鼻マスク１１２は、主部１１１において連結部１１２Ａである一端が固定された状態で他端が可動である。鼻マスク１１２は、矢印Ａに沿って回転し、図１（ａ）において二点鎖線で示される位置に鼻マスク１１２を移動させることができる。
【００２９】
鼻マスク１１２の連結部１１２Ａは、主部１１１に熱融着又は縫合によって取り付けられている。これにより、フェイスマスク１が液剤２２を含侵した状態において、鼻マスク１１２が主部１１１に接着剤で接合されている場合に比べて、鼻マスク１１２は主部１１１から剥離しにくい。
【００３０】
図１（ａ）に示すように、鼻マスク１１２は、二点鎖線で示される位置に移動すると、鼻マスク１１２と主部１１１とは同一平面にすることができる。図１（ｂ）は、主部１１１と鼻マスク１１２とが同一平面になる状態を示す平面図である。破線で示す第１開口部１１１Ａは、鼻マスク１１２により被覆されているため、露出していない。
【００３１】
図１（ｂ）に示すように、鼻マスク１１２は、主部１１１の一部と重複する。鼻マスク１１２と主部１１１とが重複する部分は、第１開口部１１１Ａを表す破線と鼻マスク１１２を表す実線とで囲んだ領域Ｂに相当する。鼻マスク１１２の領域Ｂに対応する部分は、連結部１１２Ａを含むが、鼻マスク１１２の領域Ｂに対応する部分から連結部１１２Ａを除いた部分を、重複部１１２Ｂとする。重複部１１２Ｂは、主部１１１における第１開口部１１１Ａの外縁の一部に対応する。フェイスマスク１の使用時に、重複部１１２Ｂは、頬部と鼻翼部とが近接する部分の少なくとも一部を被覆する。鼻マスク１１２は、ユーザーの鼻の形状に合わせるためのスリットを有していてもよい。
【００３２】
次に、カプセル１２について説明する。カプセル１２は、内部に揮発性成分が封入されるとともに、所定値を超える押圧力が作用すると揮発性成分が外部に漏出するように形成された球状物である、所定値を超える押圧力とは、例えば、指で挟んで押しつぶすことが可能な圧力である。
【００３３】
図２は、実施形態１に係るフェイスマスク１のうち、図１（ｂ）の切断線ＩＩで切断した概略部分断面図である。以下、鼻マスク１１２のユーザーの顔面に載置される側を鼻マスク１１２の裏側といい、その反対側を鼻マスク１１２の表側という。
【００３４】
図１（ｂ）に示すように、カプセル１２は、鼻マスク１１２の裏側のユーザーの鼻尖部に対応する位置に設けられている。つまり、カプセル１２は、ユーザーの鼻部に対応する位置近傍に配置されている。従って、カプセル１２から漏出し、空気に発散した揮発性成分は、ユーザーの外鼻孔から体内に取り込まれやすい。その結果、揮発性成分が有する薬効を発現させやすくすることができる。
【００３５】
本実施形態では、フェイスマスク１は、カプセル１２を備える。カプセル１２は、揮発性成分を含むコア部１２１と、コア部１２１を被覆するシェル部１２２とを有する。そのため、例えば、フェイスマスク１が液剤２２を含侵した状態において、カプセル１２から揮発性成分を漏出させることで、従来よりも揮発性成分自体を空気中に発散させることができる。その結果、揮発性成分が有する薬効を発現させやすくすることができる。これは、液剤２２自体に揮発性成分を添加する従来と異なり、揮発性成分と、液剤２２中の揮発性成分を除いた成分とが一様に混合されることはないため、揮発性成分が液剤２２の影響を受けにくいことが主要因であると推測される。さらに、本実施形態では、カプセル１２から揮発性成分を漏出させることで、鼻マスク１１２付近において、局所的に揮発性成分を空気中に発散させ、揮発性成分をユーザーの外鼻孔から体内に取り込むことができる。そのため、本実施形態では、揮発性成分の使用量は、従来よりも少ない。
【００３６】
コア部１２１は、揮発性成分を含む。揮発性成分は、常温で気化し、かつ、人体に対して薬効を有するものであればよい。揮発性成分は、例えば、精油、合成精油、生薬、又は漢方薬等を含む。揮発性成分は、求める薬効に応じて、適宜選択すればよい。コア部１２１は、例えば、キャリアオイルを含有していてもよい。
【００３７】
揮発性成分は、精油を含有することが好ましい。これにより、精油の種類に応じた薬効を発現させることができる。以下、精油の具体例を示す。花粉症に有効な精油は、例えば、ティートリー、カモミール・ローマン、又はユーカリ・ラジアタである。口臭に有効な精油は、例えば、ティートリー、ペパーミント、又はレモンである。喘息に有効な精油は、例えば、ニアウリ・シネオール、ジュニパー、真正ラベンダー、サイプレス、又はユーカリ・ラジアタである。月経前緊張症に有効な精油は、例えば、バジル、クラリセージ、プチグレン、ゼラニウム、マンダリン、サイプレス、ジュニパー、又はペパーミントである。冷え性に有効な精油は、例えば、サイプレス、クラリセージ、又はレモンである。便秘に有効な精油は、例えば、ローズマリー・カンファー、バジル、又はペパーミントである。更年期障害に有効な精油は、例えば、クラリセージ、ゼラニウム、サイプレス、バジル、又はイランイランである。不眠に有効な精油は、例えば、真正ラベンダー、ネロリ、又はオレンジ・スイートである。下肢静脈瘤に有効な精油は、例えば、サイプレス、ジュニパー、又はレモン等である。ダイエットに有効な精油は、例えば、シダーウッド、サイプレス、ローズマリー、又はオレンジ・スイートである。ストレスからくる不調に有効な精油は、例えば、真正ラベンダー、ペパーミント、レモン、オレンジ・スイート、又はローズマリー・カンファーである。ストレスによるイライラに有効な精油は、例えば、プチグレン、真正ラベンダー、オレンジ・スイート、又はサンダルウッドである。
【００３８】
シェル部１２２は、例えば、ゼラチン、加工デンプン、又は多糖類系材料等を含む。多糖類系材料は、ペクチン又はアルギネート等を含む。シェル部１２２は、ゼラチンを含むことが好ましい。これにより、コア部１２１を気密密閉するとともに、破壊可能なシェル部１２２とすることができる。
【００３９】
カプセル１２のサイズは、揮発性成分の種類等に応じて適宜調整すればよい。また、カプセル１２の形状は立方体状、又は円柱状等であってもよい。
【００４０】
次に、第１保護材１３について説明する。第１保護材１３は、液剤２２からカプセル１２を保護するシート状物である。具体的に、第１保護材１３は、シェル部１２２が液剤２２を吸収して破壊されることを防ぐとともに、カプセル１２に意図しない押圧力が作用してシェル部１２２が破壊されることを防ぐ。さらに、第１保護材１３は、カプセル１２を所定の位置に保持させる。
【００４１】
第１保護材１３は、鼻マスク１１２に、熱融着又は縫合によって取り付けられている。これにより、フェイスマスク１が液剤２２を含侵した状態においても、第１保護材１３が接着剤によって取り付けられている場合に比べて、第１保護材１３は鼻マスク１１２から剥離しにくくなる。
【００４２】
第１保護材１３は、第１保護材本体１３１と、シール層１３２とを有する。第１保護材１３はシール層１３２を有することで、例えば、カプセル１２から漏れ出た揮発性成分の特定方向への移動を遮断することができる。具体的に、本実施形態では、第１保護材１３は、鼻マスク１１２の裏側に取り付けられている。そのため、カプセル１２から漏れ出た揮発性成分が鼻マスク１１２の裏側に移動することを遮断することができる。つまり、揮発性成分がユーザーに直接接触することを防ぐことができる。その結果、例えば、揮発性成分に基づく接触皮膚炎（アレルギー反応）が生じることを抑制することができる。
【００４３】
第１保護材本体１３１は、例えば、不織布、又は紙を含む。不織布は、例えば、化学繊維、又は自然繊維を含む。化学繊維は、例えば、ポリエチレン、ポリエステル、ポリウレタン、又は塩化ビニルを含む。自然繊維は、例えば、綿、又は毛を含む。第１保護材本体１３１の材質は、第１フェイスマスク本体１１の材質と同一であってもよい。シール層１３２は、例えば、デンプン、多糖類、ゴム、ポリオレフィン、ポリエチレンテレフタレート（ＰＥＴ）、ポリビニルアルコール（ＰＶＡ）、又はポリビニルピロリドンを含む。
【００４４】
以下、図３（ａ）及び図３（ｂ）を参照してフェイスマスク１の使用方法の一例について説明する。図３（ａ）は、実施形態１に係るフェイスマスク１の使用状態を示す斜視図である。図３（ｂ）は、実施形態１に係るフェイスマスク１のうち、図３（ａ）に示す切断線ＩＩＩＢで切断した概略部分断面図である。
【００４５】
フェイスマスク１は、例えば、液剤２２を含侵した状態で、第１保護材１３がユーザー側がとなるように、ユーザーの顔面に載置されて使用される。具体的に、図３（ａ）に示すように、第１フェイスマスク本体１１は、第１開口部１１１Ａが鼻部に位置し、第２開口部１１１Ｂが目部に位置し、第３開口部１１１Ｃが口部に位置するようにして、ユーザーの顔面に載置される。鼻マスク１１２は、第１開口部１１１Ａから突出した鼻部の形状に合わせて変形され、鼻部を被覆するようにして、ユーザーの顔面に載置される。
【００４６】
カプセル１２は指で挟まれて、シェル部１２２に押圧力が作用すると、シェル部１２２は破壊される。これにより、揮発性成分はカプセル１２から漏出する。ここで、第１保護材１３は、シール層１３２を有する。このため、揮発性成分は、鼻マスク１１２の裏側へ移動しにくい。その結果、カプセル１２から漏れ出た揮発性成分の大半は、鼻マスク１１２の表側の面に移動する。
【００４７】
図３（ｂ）に示すように、鼻マスク１１２の表側の面に移動した揮発性成分は、空気中に拡散され、ユーザーの外鼻孔から体内に取り込まれる。フェイスマスク１は、顔面にフェイスマスク１が載置された時点から所定時間が経過すると、ユーザーの顔面から取り外される。所定時間は、液剤２２の種類等に応じて適宜調整され、例えば、数分程度である。
【００４８】
図３（ａ）及び図３（ｂ）を参照して説明したように、フェイスマスク１の使用方法の一例では、フェイスマスク１に液剤２２を含侵させた後にカプセル１２から揮発性成分を漏出させている。本発明はこれに限定されず、例えば、カプセル１２から揮発性成分を漏出させた後に、フェイスマスク１に液剤２２を含侵させてもよい。
【００４９】
［実施形態１：フェイスマスク包装体２０］
次に、図４（ａ）及び図４（ｂ）を参照して、実施形態１に係るフェイスマスク包装体２０について説明する。図４（ａ）は、実施形態１に係るフェイスマスク包装体２０の概略正面図である。図４（ｂ）は、実施形態１に係るフェイスマスク包装体２０の図４（ａ）に示す切断線ＩＶＢで切断した概略断面図である。
【００５０】
フェイスマスク包装体２０は、第１包装袋２１と、１枚のフェイスマスク１と、液剤２２とを備える。フェイスマスク１は折り畳められている。液剤２２は、例えば、化粧水、又は美容剤を含む。
【００５１】
図４（ｂ）に示すように、第１包装袋２１は、分離部２１１と、第１シート２１２と、第２シート２１３とを有する。図４（ａ）及び図４（ｂ）に示すように、第１包装袋２１は、外周縁部２１Ｃを有する。外周縁部２１Ｃは、第１シート２１２の外周縁部と、第２シート２１３の外周縁部とが一体化して形成されている。これにより、第１包装袋２１の内部は、空間を有するとともに、第１包装袋２１の外部と遮断される。第１シート２１２及び第２シート２１３は、例えば、外面側がＰＥＴ、内面側がＰＥ（ポリエチレン）の積層体で形成されている。第１シート２１２及び第２シート２１３の少なくとも一方は、第１包装袋２１の内部を目視によって確認できるように、透明であることが好ましい。
【００５２】
図４（ａ）に示すように、分離部２１１は、第１包装袋２１の内部に配置されている。分離部２１１は、第１包装袋２１の内部を第１収納室２１Ａと、第２収納室２１Ｂとに分離している。つまり、第１収納室２１Ａと第２収納室２１Ｂとは、互いに連通していない。第１収納室２１Ａには、フェイスマスク１が収納されている。第２収納室２１Ｂには、液剤２２が収納されている。このように、第１包装袋２１は、フェイスマスク１と液剤２２とを分離して収納するように構成されている。
【００５３】
分離部２１１は、例えば、ベーステープの表面に剥離可能な接着剤が塗布された接着テープで形成されている。ベーステープは、例えば、ＰＥ又はＰＥＴを含む。接着材は、例えば、ＰＥを含む。
【００５４】
フェイスマスク１を使用する際には、ユーザーは、第１収納室２１Ａ及び第２収納室２１Ｂの少なくとも一方を手指で押圧する。これにより、第１収納室２１Ａ及び第２収納室２１Ｂの少なくとも一方の内部の圧力が高まる。分離部２１１に所定値を超える押圧力が作用すると、分離部２１１は、第１シート２１２及び第２シート２１３の少なくとも一方から剥離する。つまり、第１収納室２１Ａと第２収納室２１Ｂとは互いに連通する。その結果、第２収納室２１Ｂに収納されている液剤２２は、第１収納室２１Ａに移動し、フェイスマスク１は、浸漬される。次いで、第１収納室２１Ａを切り開いて、液剤２２が浸漬されたフェイスマスク１を第１包装袋２１の外部に取り出して使用すればよい。このように、分離部２１１は、所定値を超える押圧力が作用すると、第１収納室２１Ａと、第２収納室２１Ｂとを連通させるように構成されている。
【００５５】
図４（ａ）及び図４（ｂ）に示すように、フェイスマスク包装体２０では、第１包装袋２１は、分離部２１１を有する。そのため、フェイスマスク１を使用する際、乾燥状態のフェイスマスク１に液剤２２を簡単に浸漬させることができる。さらに、フェイスマスク１を使用する前では、フェイスマスク包装体２０では、フェイスマスク１と、液剤２２とは分離して収納されている。そのため、フェイスマスク包装体２０では、細菌の繁殖を抑制するための防腐剤を液剤２２に含有させる必要はない。フェイスマスク包装体２０では、第１包装袋２１内に、フェイスマスク１と、液剤容器３２とが収納されている。そのため、フェイスマスク１、及び液剤２２の携帯が容易である。
【００５６】
第１収納室２１Ａにフェイスマスク１を収納する際、シート状であるフェイスマスク１を折り畳んで、例えば、円柱状、円盤状の圧縮塊に圧縮することができる。
【００５７】
［実施形態２：フェイスマスク２］
図５（ａ）を参照して、実施形態２に係るフェイスマスク２について説明する。図５（ａ）は、実施形態２に係るフェイスマスク２の未使用状態の正面図である。
【００５８】
フェイスマスク２は、実施形態１のフェイスマスク１と比較して、第２フェイスマスク本体１４の構成が第１フェイスマスク本体１１の構成と異なる。
【００５９】
図５（ａ）に示すように、フェイスマスク２は、第２フェイスマスク本体１４と、カプセル１２と、第１保護材１３とを備える。以下、第２フェイスマスク本体１４のユーザーの顔面に載置されない側を第２フェイスマスク本体１４の前側、ユーザーの顔面に載置される側を第２フェイスマスク本体１４の裏側という。
【００６０】
カプセル１２は、第２フェイスマスク本体１４の裏側のユーザーの鼻尖部に対応する位置に設けられている。第１保護材１３は、カプセル１２を覆うようにして、第２フェイスマスク本体１４の裏側の面に取り付けられている。
【００６１】
図５（ａ）に示すように、第２フェイスマスク本体１４は、ユーザーの鼻部の形状に合わせるための第１スリット部１４Ａと、第２開口部１１１Ｂと、第３開口部１１１Ｃとを有する。第２フェイスマスク本体１４は、ユーザーの顔に合うように、スリットを有していてもよい。
【００６２】
フェイスマスク２は、鼻マスク１１２を含まない。そのため、フェイスマスク２のカプセル１２及び第１保護材１３を除いた部位は、１枚のシート材によって形成され得る。これにより、フェイスマスク２は、製造コスト等の点で、フェイスマスク１よりも優れる。
【００６３】
第１保護材１３は、第２フェイスマスク本体１４に、熱融着又は縫合によって取り付けられている。これにより、フェイスマスク２が液剤２２を含侵した状態において、第１保護材１３が第２フェイスマスク本体１４に接着剤によって取り付けられた場合に比べて、第１保護材１３は、第２フェイスマスク本体１４から剥離しにくい。
【００６４】
［実施形態３：フェイスマスク３］
図５（ｂ）を参照して、実施形態３に係るフェイスマスク３について説明する。図５（ｂ）は、実施形態３に係るフェイスマスク３の未使用状態の正面図である。
【００６５】
フェイスマスク３は、実施形態１のフェイスマスク１と比較して、第３フェイスマスク本体１５の構成が第１フェイスマスク本体１１の構成と異なる。
【００６６】
図５（ｂ）に示すように、フェイスマスク３は、第３フェイスマスク本体１５と、カプセル１２と、第１保護材１３とを備える。カプセル１２は、第３フェイスマスク本体１５の裏側のユーザーの鼻尖部に対応する位置に設けられている。第１保護材１３は、カプセル１２を覆うようにして、第３フェイスマスク本体１５の裏側の面に取り付けられている。
【００６７】
図５（ｂ）に示すように、第３フェイスマスク本体１５は、第１スリット部１４Ａと、ユーザーの目部の形状に合わせるための第２スリット部１５Ａと、第３開口部１１１Ｃとを有する。第３フェイスマスク本体１５は、ユーザーの顔に合うように、スリットを有していてもよい。
【００６８】
フェイスマスク３は、鼻マスク１１２を備えない。そのため、フェイスマスク３のカプセル１２及び第１保護材１３を除いた部位は、１枚のシート材によって形成され得る。これにより、フェイスマスク３は、製造コスト等の点で、フェイスマスク１よりも優れる。
【００６９】
［実施形態４：フェイスマスク４］
図６（ａ）及び図６（ｂ）を参照して、実施形態４に係るフェイスマスク４について説明する。図６（ａ）は、実施形態４に係るフェイスマスク４の未使用状態を示す正面図である。図６（ｂ）は、実施形態４に係るフェイスマスク４のうち、図６（ａ）に示す切断線ＶＩＢで切断した略部分断面図である。
【００７０】
フェイスマスク４は、実施形態１のフェイスマスク１と比較して、カプセル１２の位置が異なる。
【００７１】
図６（ａ）及び図６（ｂ）に示すように、フェイスマスク４は、第１フェイスマスク本体１１と、カプセル１２と、第２保護材１６とを備える。以下、主部１１１のユーザーの顔面に載置されない側を主部１１１の前側、ユーザーの顔面に載置される側を主部１１１の裏側という。
【００７２】
カプセル１２は、主部１１１の裏側のユーザーの口部に対応する位置に設けられている。第２保護材１６は、カプセル１２を覆うようにして、主部１１１の裏側の面に取り付けられている。第２保護材１６は、シール層１３２を有しない。
【００７３】
図６（ｂ）に示すように、第２保護材１６は、主部１１１の裏側に向かって突出している。これにより、ユーザーは、第２保護材１６の突出した部位を噛みやすくなる。ユーザーが第２保護材１６を噛むことで、第２保護材１６を介してシェル部１２２に押圧力が作用し、シェル部１２２が破壊される。これにより、揮発性成分はカプセル１２から漏出する。このように、フェイスマスク４では、揮発性成分を口から体内に取り込みやすい。そのため、例えば、揮発性成分として、喘息に有効な精油、又は口臭に有効な精油を用いることで、フェイスマスク４は、喘息又は口臭の対策に有効となる。
【００７４】
［実施形態５：フェイスマスク５］
図７（ａ）を参照して、実施形態５に係るフェイスマスク５について説明する。図７（ａ）は、実施形態５に係るフェイスマスク５の未使用状態を示す正面図である。
【００７５】
フェイスマスク５は、実施形態１のフェイスマスク１と比較して、カプセル１２の位置が異なる。
【００７６】
図７（ａ）に示すように、フェイスマスク５は、第１フェイスマスク本体１１と、カプセル１２と、第１保護材１３とを備える。カプセル１２は、ユーザーの人中部に対応する位置に配置されている。第１保護材１３は、カプセル１２を覆うようにして、主部１１１の裏側の面に取り付けられている。
【００７７】
図７（ａ）に示すように、フェイスマスク５では、カプセル１２は、ユーザーの人中部に対応する位置に設けられている。つまり、カプセル１２は、ユーザーの口部及び鼻部に対応する位置近傍に配置されている。これにより、ユーザーは、フェイスマスク１を使用する場合よりも、口部からも揮発性成分を体内に取り込みやすくなる。
【００７８】
［実施形態６：フェイスマスク６］
図７（ｂ）を参照して、実施形態６に係るフェイスマスク６について説明する。図７（ｂ）は、実施形態６に係るフェイスマスク６の未使用状態を示す正面図である。
【００７９】
フェイスマスク６は、実施形態１のフェイスマスク１と比較して、カプセル１２の位置が異なる。
【００８０】
図７（ｂ）に示すように、フェイスマスク６は、第１フェイスマスク本体１１と、カプセル１２と、第１保護材１３とを備える。カプセル１２は、ユーザーのオトガイ部に対応する位置に配置されている。第１保護材１３は、カプセル１２を覆うようにして、主部１１１の裏側の面に取り付けられている。
【００８１】
図７（ｂ）に示すように、フェイスマスク６では、カプセル１２は、ユーザーのオトガイ部に対応する位置に配置されている。つまり、カプセル１２は、ユーザーの口部に対応する位置近傍に配置されている。これにより、ユーザーは、フェイスマスク１を使用する場合よりも、口から揮発性成分を体内に取り込みやすくなる。例えば、揮発性成分として、喘息に有効な精油、又は口臭に有効な精油を用いることで、フェイスマスク６は、喘息又は口臭の対策に有効となる。
【００８２】
［実施形態７：フェイスマスク７］
図８（ａ）を参照して、実施形態７に係るフェイスマスク７について説明する。図８（ａ）は、実施形態７に係るフェイスマスク７の未使用状態を示す斜視図である。
【００８３】
フェイスマスク７は、実施形態１のフェイスマスク１と比較して、カプセル１２の個数が異なる。
【００８４】
図８（ａ）に示すように、フェイスマスク７は、第１フェイスマスク本体１１と、２個のカプセル１２と、２つの第１保護材１３とを備える。２個のカプセル１２は、ユーザーの鼻尖部に対応する位置、及びユーザーの人中部に対応する位置にそれぞれ配置されている。２つの第１保護材１３は、２個のカプセル１２を別々に覆うようにして、主部１１１の裏側の面に取り付けられている。
【００８５】
図８（ａ）に示すように、フェイスマスク７では、２個のカプセル１２は、ユーザーの鼻尖部に対応する位置、及びユーザーの人中部に対応する位置に、それぞれ配置されている。つまり、２個のカプセル１２は、ユーザーの口部及び鼻部に対応する位置近傍に１個ずつ配置されている。これにより、フェイスマスク７を使用するユーザーは、フェイスマスク１を使用する場合よりも、口及び鼻から揮発性成分を体内に取り込みやすくなる。
【００８６】
ユーザーの鼻尖部に対応する位置に設けられたカプセル１２の揮発性成分と、ユーザーの人中部に対応する位置に配置されたカプセル１２の揮発性成分とは、同一であってもよいし、異なっていてもよい。
【００８７】
［実施形態８：フェイスマスク８］
図８（ｂ）を参照して、実施形態８に係るフェイスマスク８について説明する。図８（ｂ）は、実施形態８に係るフェイスマスク８の未使用状態を示す斜視図である。
【００８８】
フェイスマスク８は、実施形態１のフェイスマスク１と比較して、カプセル１２の個数が異なる。
【００８９】
図８（ｂ）に示すように、フェイスマスク８は、第１フェイスマスク本体１１と、２個のカプセル１２と、２つの第１保護材１３とを備える。２個のカプセル１２は、ユーザーの鼻尖部に対応する位置、及びユーザーの額部に対応する位置にそれぞれ配置されている。２つの第１保護材１３は、２個のカプセル１２を別々に覆うようにして、主部１１１の裏側の面に取り付けられている。
【００９０】
図８（ｂ）に示すように、フェイスマスク８では、２個のカプセル１２は、ユーザーの鼻尖部に対応する位置、及びユーザーの額部に対応する位置に、それぞれ配置されている。つまり、２個のカプセル１２は、ユーザーの目部及び鼻部に対応する位置近傍に１個ずつ配置されている。これにより、フェイスマスク８は、フェイスマスク１よりも、空気中に揮発性成分を発散しやすくなり、揮発性成分を体内に取り込みやすくなる。
【００９１】
［実施形態９：フェイスマスク包装体３０］
図９を参照して、実施形態９に係るフェイスマスク包装体３０について説明する。図９は、実施形態９に係るフェイスマスク包装体３０の概略図である。
【００９２】
フェイスマスク包装体３０は、実施形態１に係るフェイスマスク包装体２０と比較して、分離部２１１を備えないことが異なる。
【００９３】
図９に示すように、フェイスマスク包装体３０は、第２包装袋３１と、複数枚のフェイスマスク１と、液剤容器３２とを備える。液剤容器３２には、液剤２２が収納されている。
【００９４】
第２包装袋３１は、第１収納室３１Ａと、第２収納室３１Ｂとを有する。第１収納室３１Ａには、複数枚のフェイスマスク１が収納されている。第２収納室３１Ｂには、液剤容器３２が収納されている。このように、複数枚のフェイスマスク１と、液剤２２とは分離して収納されている。
【００９５】
図９に示すように、フェイスマスク包装体３０では、複数枚のフェイスマスク１と、液剤２２とは分離して収納されている。そのため、フェイスマスク包装体３０では、細菌の繁殖を抑制するための防腐剤を液剤２２に含有させる必要はない。さらに、フェイスマスク包装体３０では、第２包装袋３１内に、複数枚のフェイスマスク１と、液剤容器３２とが収納されている。そのため、フェイスマスク１、及び液剤容器３２の携帯が容易である。
【００９６】
以上、図面（図１〜図９）を参照しながら本発明の実施形態を説明した。但し、本発明は、上記の実施形態に限られるものではなく、その要旨を逸脱しない範囲で種々の態様において実施することが可能である（例えば、下記に示す（１）〜（７））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００９７】
（１）図１〜図９を参照して説明したように、カプセル１２の個数は１個又は２個であるが、本発明はこれに限定されない。例えば、カプセル１２の個数は３個以上であってもよい。
（２）図１〜図９を参照して説明したように、カプセル１２は主部１１１の裏側の面及び鼻マスク１１２の裏側の面に配置されているが、本発明はこれに限定されない。例えば、カプセル１２は、主部１１１の裏側の面及び鼻マスク１１２の表側の面に配置されていてもよい。
（３）図１〜図３、図７〜図９を参照して説明したように、カプセル１２は、鼻マスク１１２と第１保護材１３とによって挟持されているが、本発明はこれに限定されない。例えば、カプセル１２は第１フェイスマスク本体１１又は鼻マスク１１２に印刷されていてもよい。
（４）図１〜図４、図７〜図９を参照して説明したように、シール層１３２は、第１保護材本体１３１の表側の面に形成されているが、本発明はこれに限定されない。例えば、シール層１３２は、第１保護材本体１３１の裏側の面に形成されていてもよい。
（５）図１〜図４、図７〜図９を参照して説明したように、第１保護材１３はシール層１３２を有するが、本発明はこれに限定されない。例えば、第１保護材１３は、第１保護材本体１３１のみからなってもよい。
（６）図１〜図４、図７〜図９を参照して説明したように、第１保護材１３は第１保護材本体１３１を有するが、本発明はこれに限定されない。例えば、第１保護材１３は、シール層１３２のみからなってもよい。
（７）図４を参照して説明したように、フェイスマスク包装体２０は、第１収納室２１Ａに１枚のフェイスマスク１を収納しているが、本発明はこれに限定されない。例えば、第１収納室２１Ａに２枚以上のフェイスマスク１が収納されていてもよい。
【産業上の利用可能性】
【００９８】
本発明は、美容用フェイスマスク等に適用することができる。
【符号の説明】
【００９９】
１、２、３、４、５、６、７、８    フェイスマスク
１１、１４、１５    フェイスマスク本体
１１１      主部
１１１Ａ    開口部
１１２      鼻マスク
１１２Ａ    連結部
１１２Ｂ    重複部
１２        カプセル
１２１      コア部
１２２      シェル部
１３、１６  保護材
１３２      シール層
２０、３０  フェイスマスク包装体
２１、３１  包装袋
２１Ａ      第１収納室
２２Ｂ      第２収納室
２２        液剤
【図１】
2020092818.tif 000003
【図２】
2020092818.tif 000004
【図３】
2020092818.tif 000005
【図４】
2020092818.tif 000006
【図５】
2020092818.tif 000007
【図６】
2020092818.tif 000008
【図７】
2020092818.tif 000009
【図８】
2020092818.tif 000010
【図９】
2020092818.tif 000011